(57)【要約】 【課題】幕板を水平より上方に向けた状態で支持することが可能な幕板の支持装置を提供する。【解決手段】支持装置を、支持枠１に水平回動自在に取り付けられた垂直基板２と、垂直基板２に上下回動自在に軸着された幕板支持アーム４と、垂直基板２と幕板支持アーム４との間に掛け渡されて幕板支持アーム４を水平より上方に向けた状態で係止する係止部材５とからなるものとする。係止部材５は、先端側に係合凹部５１を有し基端側が幕板支持アーム４に枢着されており、垂直基板２は、板面に突棒２２を備えている。幕板支持アーム４が水平より上向きに回動されたときに、係合凹部５１に突棒２２がはめ込まれて、係止部材５が幕板支持アーム４を水平より上方に向けた状態で係止する。【選択図】図７
2007275119.tif 000002
【特許請求の範囲】
【請求項１】
遊技機設置島の上部の支持枠に枢設された幕板を水平より上向きに開放した状態で支持するための幕板の支持装置であって、
支持枠に水平回動自在に取り付けられた垂直基板と、当該垂直基板に上下回動自在に軸着された幕板支持アームと、垂直基板と幕板支持アームとの間に掛け渡されて幕板支持アームを水平より上方に向けた状態で係止する係止部材とからなることを特徴とする幕板の支持装置。
【請求項２】
係止部材は、先端側に係合凹部を有し基端側が幕板支持アームに枢着されており、
垂直基板は、板面に突棒を備えており、
幕板支持アームが水平より上向きに回動されたときに、係合凹部に突棒がはめ込まれて、係止部材が幕板支持アームを水平より上方に向けた状態で係止することを特徴とする請求項１に記載の幕板の支持装置。
【請求項３】
係止部材に、突棒の係合凹部からの脱出を可能とする係止解除片を枢着したことを特徴とする請求項２に記載の幕板の支持装置。
【請求項４】
遊技機設置島の上部の支持枠に枢設された幕板を水平より上向きの開放状態で支持するための幕板の支持装置であって、
支持枠に水平回動自在に取り付けられた垂直基板と、当該垂直基板に上下回動自在に軸着された幕板支持アームと、幕板支持アームを水平より上方に向けた状態で垂直基板に係止する係止部材とからなることを特徴とする幕板の支持装置。
【発明の詳細な説明】
【技術分野】
【０００１】
本発明は、遊技機設置島の上部を覆うように配設された幕板の支持装置に関するものである。
【背景技術】
【０００２】
パチンコ機が多数台列設された遊技機設置島の上部には、この上部を覆うための幕板が配設されているが、幕板は保守点検作業時に開放できるように開閉自在に取り付けられている。特許文献１には、下向きの幕板を上方に回動させることによって、アーム部材が上方に回動して固定され、幕板を開放した状態で支持することができる支持装置が記載されている。この幕板の支持装置は、幕板を水平状の横向き状態で支持するものである。
【０００３】
しかしながら、保守点検作業、例えば遊技媒体搬送レールの清掃、配線や基板の交換等の奥まった箇所に手を突っ込んで行うなどの作業を行う際に、幕板が垂直下方から横向きの９０°までしか開放しないために、幕板が邪魔になって作業がしづらいという問題があった。
【特許文献１】特開２００３−３２５８９５号公報  (図６)
【発明の開示】
【発明が解決しようとする課題】
【０００４】
本発明は、上記した従来の問題点に鑑み、幕板を水平より上方に向けた状態で支持して、作業空間を広く取ることができる幕板の支持装置を提供することを課題とする。
【課題を解決するための手段】
【０００５】
上記の課題を解決するためになされた本発明の幕板の支持装置は、
遊技機設置島の上部の支持枠に枢設された幕板を水平より上向きの開放状態で支持するための幕板の支持装置であって、
支持枠に水平回動自在に取り付けられた垂直基板と、当該垂直基板に上下回動自在に軸着された幕板支持アームと、垂直基板と幕板支持アームとの間に掛け渡されて幕板支持アームを水平より上方に向けた状態で係止する係止部材とからなることを特徴とするものである。
【０００６】
上記した発明において、係止部材は、先端側に係合凹部を有し基端側が幕板支持アームに枢着されており、
垂直基板は、板面に突棒を備えており、
幕板支持アームが水平より上向きに回動されたときに、係合凹部に突棒がはめ込まれて、係止部材が幕板支持アームを水平より上方に向けた状態で係止するものとすることができる。
さらに係止部材に、突棒の係合凹部からの脱出を可能とする係止解除片を枢着することができる。
【０００７】
また、本発明の幕板の支持装置は、遊技機設置島の上部の支持枠に枢設された幕板を水平より上向きの開放状態で支持するための幕板の支持装置であって、
支持枠に水平回動自在に取り付けられた垂直基板と、当該垂直基板に上下回動自在に軸着された幕板支持アームと、幕板支持アームを水平より上方に向けた状態で垂直基板に係止する係止部材とからなることを特徴とするものである。
【発明の効果】
【０００８】
請求項１に係る発明は、垂直基板と幕板支持アームとの間に掛け渡された係止部材により、幕板支持アームが水平より上方に向けた状態で係止されるので、この幕板支持アームによって幕板を水平より上方に向けた状態で支持することができる。
請求項２に係る発明は、幕板支持アームが水平より上向きに回動されたときに、係合凹部に突棒がはめ込まれるので、係止部材が幕板支持アームを水平より上方に向けた状態で係止することができる。
請求項３に係る発明は、係止解除片が、突棒を係合凹部から脱出させるので、幕板支持アームを元の状態に戻すことができる。
請求項４に係る発明は、螺子により幕板支持アームを水平より上方に向けた状態で垂直基板にネジ止めして、幕板を水平より上向きに支持することができる。
【発明を実施するための最良の形態】
【０００９】
以下に、本発明の実施形態を図面に基づき説明する。
図１は、本発明に係る幕板支持装置の全体の動きを示す図、図２は水平状態にある幕板支持装置を示す図である。図１において、１は幕板の支持枠である。この支持枠１は、水平枠部１１と垂直枠部１２とからなり、水平枠部１１には、幕板が後述するようにして、上下回動自在に垂設されている。
【００１０】
垂直枠部１２には、垂直基板２が蝶番３により矢印Ａ方向に水平回動自在に取付けられている。垂直基板２には幕板支持アーム４が支軸２１により矢印Ｂ方向に上下回動自在に軸着されている。この幕板支持アーム４は基端側に、垂直基板２の端部に当接されて幕板支持アーム４を水平状に保持する折り曲げ部４１を有し、先端側に、幕板に当接される突部４２を有する。
【００１１】
幕板支持アーム４の基端側には、垂直基板２と幕板支持アーム４との間に掛け渡される全体外形長円形状の係止部材５が、基端側の支軸４３に回動自在に軸着されている。係止部材５は、図２における状態において下側となる側面５ａの先端側に係合凹部５１を有し、上側となる側面５ｂには係止部材５の一部をその板面に対し直交する方向に折り曲げた屈曲片５２が突設されている。垂直基板２は、この係合凹部５１にはめ込まれる突棒２２を有する。
【００１２】
なお、図２の状態においては、係止部材５は突棒２２によって下方への回動を制止されている。そして、係止部材５には係止解除片６が軸６１に枢着され、その上側の端部６ａは屈曲片５２に当接されて係止解除片６の反時計回りの回動を規制している。また、その下側の端部には直線部６ｂと小突起６ｃとが形成されている。
【００１３】
図２の状態から幕板支持アーム４の先端を持ち上げると、突棒２２が係止部材５の下側端部を係合凹部５１の方向に摺動する（図３）。そして、突棒２２が係合凹部５１にまでずらされたときには、突棒２２が小突起６ｃを押し上げて係止解除片６を時計回り方向に回動して（図４）、突棒２２が係合凹部５１にはめ込まれた状態で位置決めされる（図５）。なお、図６には、係合凹部５１の形状とこれにはめ込まれた突棒２２とを示す。図示のように、係合凹部５１の長さは突棒２２がその内部を摺動可能な長さとなっている。
【００１４】
以上のようにして突棒２２を係合凹部５１にはめ込むことにより、図７に示すように幕板１０を水平より上方に向けた状態で保持することができる。幕板１０を水平より上方に持ち上げた分支持枠１前方の作業空間を広く取ることができるので、作業者は従来よりも容易に保守点検作業を行うことができる。
【００１５】
作業を終了して、幕板１０を元に戻す場合には、幕板支持アーム４を図７の状態よりさらに回動させて図８のようにほぼ垂直状態にまで回動させる。これによって、突棒２２が係合凹部５１内を下方の端部にまで移動するので、係止解除片６の下側の端部の直線部６ｂが突棒２２の上部に滑り込む。そして、幕板支持アーム４を時計回りに回動して下方におろせば、突棒２２は直線部６ｂを摺動することとなって（図９）、図１０に示すように、突棒２２は係合凹部５１内から脱出することができる。よって、図２に示す元の水平状態に戻ることができる。幕板支持アーム４を収納する際は、垂直基板２とともに水平枠部１１と平行の方向に折り曲げる。
【００１６】
図１１〜１３には、第２の実施形態の幕板の支持装置を示す。
この実施形態のものにおいても、垂直枠部１２には、垂直基板２が蝶番３により矢印Ａ方向に水平回動自在に取付けられている。また、垂直基板２には幕板支持アーム４が支軸２１により矢印Ｂ方向に上下回動自在に軸着されている。垂直基板２には複数の幕板開度調整孔２３が設けられ、この幕板開度調整孔２３に係止部材である螺子７が螺入されている。よって、幕板開度調整孔２３を選択して螺子７を螺入することによって、幕板支持アーム４を、図１２に示す水平状態や、図１３に示す水平より上向きの状態に支持することができる。
【００１７】
すなわち、幕板支持アーム４が水平状態である時には、幕板支持アーム４は螺子７により垂直基板２に設けられた所定の幕板開度調整孔２３に固定されている。水平より上向きに固定するに際しては、螺入されている螺子７を脱着して、所望する開度となる何れかの幕板開度調整孔２３に螺子７を螺入する。なお、係止部材として差込み棒を用い、これを幕板開度調整孔２３に嵌め込むことによっても、適宜の角度に幕板支持アーム４を支持することができる。
【００１８】
図１３のように幕板１０を保持して点検作業をした後は、図１２のように幕板支持アーム４を水平状態としてのち折りたたむことによって、幕板支持アーム４を幕板１０の裏側に収容することができる。
【図面の簡単な説明】
【００１９】
【図１】第１の実施形態の幕板支持装置の全体概要を示す斜視図である。
【図２】水平状態にある幕板支持装置の正面図である。
【図３】幕板支持アームを持ち上げ途中である幕板支持装置の正面図である。
【図４】係合凹部に突棒が入る直前である幕板支持装置の正面図である。
【図５】係合凹部に突棒が入った状態である幕板支持装置の正面図である。
【図６】係合解除片を省略して示す係止部材の正面図である。
【図７】幕板を水平より上向きに保持した幕板支持装置の正面図である。
【図８】幕板支持アームを垂直状に回動した状態である幕板支持装置の正面図である。
【図９】係合解除片により突棒を係合凹部より脱出させる状態である幕板支持装置の正面図である。
【図１０】幕板支持アームを水平状に戻す途中である幕板支持装置の正面図である。
【図１１】第２の実施形態の幕板支持装置の全体概要を示す斜視図である。
【図１２】水平状態にある図１１の幕板支持装置の正面図である。
【図１３】幕板を水平より上向きに保持した図１１の幕板支持装置の正面図である。
【符号の説明】
【００２０】
１  支持枠、２  垂直基板、４  幕板支持アーム、５  係止部材、１０  幕板、２２  突棒、５１  係合凹部、
【図１】
2007275119.tif 000003
【図２】
2007275119.tif 000004
【図３】
2007275119.tif 000005
【図４】
2007275119.tif 000006
【図５】
2007275119.tif 000007
【図６】
2007275119.tif 000008
【図７】
2007275119.tif 000009
【図８】
2007275119.tif 000010
【図９】
2007275119.tif 000011
【図１０】
2007275119.tif 000012
【図１１】
2007275119.tif 000013
【図１２】
2007275119.tif 000014
【図１３】
2007275119.tif 000015